【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
液体化粧品を塗布するためのブラシヘッドであって、
該ブラシヘッドは、
ａ）毛束の外部領域、および
ｂ）窪んだ毛束の内部領域、
を含み、
毛束の内部領域の高さが毛束の外部領域の高さの約７４％から約９０％までであり、毛束の内部領域の毛束密度が毛束の外部領域の毛束密度よりも高く、毛束の内部領域および毛束の外部領域は、表面への塗布のために液体化粧品を適所に保持するように構成された液だめを規定していることを特徴とする、ブラシヘッド。
【請求項２】
前記ブラシヘッドが、化粧用のブラシヘッドであることを特徴とする、請求項１に記載のブラシヘッド。
【請求項３】
前記外部領域および前記内部領域の横断面における周形状は、同じであることを特徴とする、請求項１に記載のブラシヘッド。
【請求項４】
前記外部領域、前記内部領域、またはその組み合わせの横断面における形状は、通常幾何学的である、通常非幾何学的である、またはその組み合わせであることを特徴とする、請求項１に記載のブラシヘッド。
【請求項５】
前記外部領域、前記内部領域、またはその組み合わせの横断面における形状は、通常円形であることを特徴とする、請求項１に記載のブラシヘッド。
【請求項６】
前記毛束が、天然材料、合成材料、またはその組み合わせを含む材料で作られることを特徴とする、請求項１に記載のブラシヘッド。
【請求項７】
毛束の前記外部領域および毛束の前記内部領域それぞれが、同じであるか若しくは異なる材料または材料の組み合わせを含む材料で作られることを特徴とする、請求項１に記載のブラシヘッド。
【請求項８】
毛束の前記内部領域が、毛束の前記外部領域ほど湿潤性ではないことを特徴とする、請求項１に記載のブラシヘッド。
【請求項９】
毛束の前記内部領域が、液体、水溶液、極性溶液、非水溶性溶液、無極性溶液、乳剤、またはそれらの組み合わせに対して、毛束の前記外部領域よりも大きい又は小さい接触角を有することを特徴とする、請求項１に記載のブラシヘッド。
【請求項１０】
毛束の前記内部領域が、水溶液、極性溶液、極性液体、またはそれらの組み合わせに関して、毛束の前記外部領域ほど湿潤性ではないか又はそれよりも湿潤性であることを特徴とする、請求項１に記載のブラシヘッド。
【請求項１１】
前記外部領域が、前記内部領域よりも、高い擦りの特性、縞が減少する特性、またはその組み合わせを有することを特徴とする、請求項１に記載のブラシヘッド。
【請求項１２】
前記外部領域が先太りの形状を有し、該先太り形状の外部領域は、前記液だめ内から表面へ塗布される液体化粧品を滑らかにする及び／又は擦るように構成されることを特徴とする、請求項１に記載のブラシヘッド。
【請求項１３】
前記外部領域及び／又は内部領域の毛束が波状の表面パターンを含み、該波状の表面パターンは、前記外部領域及び／又は内部領域の毛束の先端によって規定されることを特徴とする、請求項１に記載のブラシヘッド。
【請求項１４】
請求項１の少なくとも１つのブラシヘッドを含むことを特徴とする、液体化粧品を塗布するためのブラシ。
【請求項１５】
少なくとも１つのハンドルをさらに含むことを特徴とする、請求項１４に記載のブラシ。
【請求項１６】
少なくとも１つの圧着領域またはフェルールをさらに含むことを特徴とする、請求項１４に記載のブラシ。
【請求項１７】
液体化粧品を塗布するためのブラシヘッドを使用する方法であって、該方法は：
ａ）液体化粧品が塗布される表面を提供する工程；
ｂ）ブラシヘッドを提供する工程であって、該ブラシヘッドは、毛束の外部領域および毛束の内部領域を含み、毛束の内部領域の高さが毛束の外部領域の高さの約７４％から約９０％までであり、毛束の内部領域の毛束密度が毛束の外部領域の毛束密度よりも高く、毛束の内部領域および毛束の外部領域が液だめを規定している、工程；
ｃ）液体化粧品を前記液だめに塗布する工程であって、前記液だめがその内部に液体化粧品を保持するように構成されている、工程；および
ｄ）液体化粧品を前記ブラシヘッドから前記表面に移す工程、
を含むことを特徴とする方法。
【請求項１８】
前記表面が、ヒトの表面であることを特徴とする、請求項１７に記載の方法。
【請求項１９】
液体化粧品を塗布するためのブラシを使用する方法であって、該方法は：
ａ）液体化粧品が塗布される表面を提供する工程；
ｂ）前記ブラシに含まれるブラシヘッドを提供する工程であって、該ブラシヘッドは、毛束の外部領域および毛束の内部領域を含み、毛束の内部領域の高さが毛束の外部領域の高さの約７４％から約９０％までであり、毛束の内部領域の毛束密度が毛束の外部領域の毛束密度よりも高く、毛束の内部領域および毛束の外部領域が液だめを規定している、工程；
ｃ）液体化粧品を前記液だめに塗布する工程であって、前記液だめがその内部に液体化粧品を保持するように構成されている、工程；および
ｄ）液体化粧品を前記ブラシヘッドから前記表面に移す工程、
を含むことを特徴とする方法。
【請求項２０】
前記表面が、ヒトの表面であることを特徴とする、請求項１９に記載の方法。
【請求項２１】
液体化粧品を塗布するためのブラシヘッドであって、
該ブラシヘッドは、
ａ）毛束の外部領域、および
ｂ）毛束の内部領域、
を含み、
前記外部領域が先太りの形状を有し、毛束の前記内部領域および毛束の前記先太り形状の外部領域が表面への塗布のために液体化粧品を適所に保持するように構成された液だめを規定し、前記先太り形状の外部領域は、前記液だめ内から表面へ塗布される液体化粧品を滑らかにする及び／又は擦るように構成されることを特徴とする、ブラシヘッド。
【請求項２２】
毛束の内部領域の高さが毛束の外部領域の高さの約７４％から約９０％までであることを特徴とする、請求項２１に記載のブラシヘッド。
【請求項２３】
毛束の前記外部領域及び／又は内部領域が波状の表面パターンを含み、該波状の表面パターンは、前記外部領域及び／又は内部領域の毛束の先端によって規定されることを特徴とする、請求項２１に記載のブラシヘッド。
【請求項２４】
化粧用のブラシヘッドであって、
該ブラシヘッドは、
ａ）毛束の外部領域、および
ｂ）毛束の内部領域、
を含み、
毛束の前記内部領域および毛束の前記外部領域が表面への塗布のために液体化粧品を適所に保持するように構成された液だめを規定し、前記外部領域及び／又は内部領域の毛束が波状の表面パターンを含み、該波状の表面パターンは、前記外部領域及び／又は内部領域の毛束の先端によって規定されていることを特徴とする、ブラシヘッド。
【請求項２５】
毛束の前記外部領域が先太りの形状を有し、該先太り形状の外部領域は、前記液だめ内から表面へ塗布される液体化粧品を滑らかにする及び／又は擦るように構成されていることを特徴とする、請求項２４に記載のブラシヘッド。
【請求項２６】
毛束の内部領域の高さが毛束の外部領域の高さの約７４％から約９０％までであることを特徴とする、請求項２４に記載のブラシヘッド。
【請求項２７】
ブラシヘッドであって、
該ブラシヘッドは、
ａ）毛束の外部領域、および
ｂ）毛束の内部領域、
を含み、
毛束の内部領域の高さが毛束の外部領域の高さの約７４％から約９０％までであり、前記外部領域が先太りの形状を有し、毛束の前記内部領域および毛束の前記先太りの形状の外部領域が表面への塗布のために液体化粧品を適所に保持するように構成された液だめを規定し、前記先太り形状の外部領域は、前記液だめ内から表面へ塗布される液体化粧品を滑らかにする及び／又は擦るように構成され、前記外部領域及び／又は内部領域の毛束が波状の表面パターンを有し、該波状の表面パターンは、前記外部領域及び／又は内部領域の毛束の先端によって規定されていることを特徴とする、ブラシヘッド。
【請求項２８】
液体化粧品を塗布するために用いられるブラシヘッドであって、
該ブラシヘッドは、
ａ）毛束の先太りの又は先細りの外部領域、および
ｂ）毛束の内部領域内に外部領域で規定され、表面への塗布のために液体化粧品を適所に保持するように構成された液だめ、
を含み、
毛束の前記外部領域は、前記液だめ内から表面へ塗布される液体化粧品を滑らかにする及び／又は擦るように構成され、前記液だめの高さが毛束の外部領域の高さの約７４％から約９０％までであることを特徴とする、ブラシヘッド。
【請求項２９】
前記外部領域が波状の表面パターンを有し、該波状の表面パターンは、前記外部領域の毛束の先端によって規定されていることを特徴とする、請求項２８に記載のブラシヘッド。
【請求項３０】
液体化粧品を塗布するための方法であって、該方法は、
毛束の外部領域および毛束の内部領域を含むブラシヘッドを提供する工程であって、毛束の内部領域の高さが毛束の外部領域の高さの約７４％から約９０％までであり、毛束の内部領域の毛束密度が毛束の外部領域の毛束密度よりも高く、毛束の内部領域および毛束の外部領域が液だめを規定している、工程；および、
前記ブラシヘッドを用いて、液体化粧品を表面に塗布する工程、
を含むことを特徴とする方法。
【請求項３１】
液体化粧品を塗布するためにブラシヘッドを使用する方法であって、該方法は：
ａ）液体化粧品が塗布される表面を提供する工程；
ｂ）ブラシヘッドを提供する工程であって、該ブラシヘッドは、毛束の外部領域および毛束の内部領域を含み、毛束の内部領域の毛束密度が毛束の外部領域の毛束密度よりも高く、毛束の内部領域および毛束の外部領域が液だめを規定している、工程；
ｃ）液体化粧品を前記液だめに塗布する工程であって、前記液だめがその内部に液体化粧品を保持する、工程；および
ｄ）液体化粧品を前記ブラシヘッドから前記表面に移す工程、
を含むことを特徴とする方法。
【請求項３２】
液体化粧品を塗布するためにブラシを使用する方法であって、該方法は：
ａ）液体化粧品が塗布される表面を提供する工程；
ｂ）前記ブラシに含まれるブラシヘッドを提供する工程であって、該ブラシヘッドは、毛束の外部領域および毛束の内部領域を含み、毛束の内部領域の毛束密度が毛束の外部領域の毛束密度よりも高く、毛束の内部領域および毛束の外部領域が液だめを規定している、工程；
ｃ）液体化粧品を前記液だめに塗布する工程であって、前記液だめがその内部に液体化粧品を保持する、工程；および
ｄ）液体化粧品を前記ブラシヘッドから前記表面に移す工程、
を含むことを特徴とする方法。